Podtech/llm-jp-corpus-v4-ja_patent huggingface dataset:
(57)【要約】【目的】梯子を屋根に掛けるとき、梯子が雨樋にあたらないようにする。【構成】口字型枠１の一辺と直方体６とで梯子の柱を挟み、口字型枠１の側面に開けられた二ヶ所の穴２にくさび式ボルト４を通し、さらにボルト４を直方体６の穴７に通し、その直方体６の穴７から突き出た、くさび式ボルト４の先端に開けられた細長穴９にくさび１０を差し込んで固定し、その反対側の口字型枠１のゴム板５が貼り付けてある一辺を屋根１２にあてて設置する。【選択図】　図２
2004011400.tif 000002
【特許請求の範囲】
【請求項１】
梯子の横幅より広い、直方体で作られた口字型枠１の一辺の側面に、くさび式ボルト４が入る程度の穴２を梯子１１の二本の柱に当たらないように内側寄りに二ヶ所開ける。その枠１の穴２が開けられた反対側の一辺の外側三面にゴム板５を貼り付ける。又、穴２に合わせて座金３を外側面に取り付ける。
【請求項２】
口字型枠１の内幅より短い直方体６を設ける。その直方体６の側面に穴２に合わせて穴７を二ヶ所開ける。その穴７に合わせて座金８を片側面に取り付ける。座金８の側面を梯子側の反対側に向ける。
【請求項３】
口字型枠１の穴２が開けられた一辺と直方体６で、梯子１１の柱をはさみ、口字型枠１と直方体６に開けた穴２と穴７にくさび式ボルト４を口字型枠１の外側から通し、直方体６の穴７から突き出たくさび式ボルト４の先端に開けられた細長穴９にくさび１０を差込み固定した梯子支え器具。
【発明の詳細な説明】
【０００１】
【発明の属する技術分野】
本発明は、この器具を梯子の上部に取り付けて、雨樋を痛めることなく上り降りが出来るように考案された梯子支え器具。
【０００２】
【従来の技術】
梯子を屋根にかけて上る場合、梯子が雨樋にあたり、雨樋を痛め破損することがあった。又、梯子が不安定で横滑りすることがあって大変危険であった。しかも、これを解消する器具はなかった。
【０００３】
【発明が解決しようとする課題】
本発明は以上の欠点を解決するためになされたもので、梯子を屋根にかけて上り降りする場合、雨樋に当たらないように掛けることによって、雨樋を破損することなく、且、横滑りを防止した器具を提供しようとするものである。
【０００４】
【課題を解決するための手段】
本発明は、図のように直方体で組み立てられた口字型枠１の一辺と直方体６とで、梯子１１の柱をはさむ。そして、枠１の一辺の側面に開けられた二個の穴２の両方にくさび式ボルト４を外側から通し、さらに、そのくさび式ボルト４の先端を直方体６に開けられた穴７に通し、直方体６から突き出たくさび式ボルト４の先端の細長穴９に、くさび１０を差し込んで固定する。その固定した口字型枠１のゴム板５を貼り付けた一辺を屋根１２に当てて、梯子を雨樋１３に当てることなく設置することができる。以上の機能を備えた梯子支え器具。
【０００５】
【発明の実地の形態】
以下、図面に示す実地の形態について説明する。
口字型枠１を梯子１１に通し、その一辺と直方体６で梯子の柱を挟む。
【０００６】
口字型枠１の一辺の側面に開けた二個の穴２にくさび式ボルト４を通し、その先端を直方体６の側面に開けた穴７に通す。
【０００７】
直方体６の側面に通され、突き出たくさび式ボルト４の先端に開けられた細長穴９にくさび１０を差し込んで押さえ込む。これで、器具と梯子はしっかりと固定されて離れることはない。
【０００８】
くさび１０によって固定された、口字型枠１のゴム板５が貼り付けてある一辺を屋根に当てて梯子を設置する。
【発明の効果】
本発明は、梯子を屋根に掛ける場合、雨樋に当たらないので、雨樋を破損することはない。又、梯子が横滑りしないので安全である。又、梯子を掛けた場合、雨樋と梯子との間が空くので、雨樋の掛け替えや修理するときに、梯子を掛けたまま雨樋の掛け替えや修理が楽に出来るので便利である。又、雨樋の掃除をするときにも安全に掃除が出来る。
【図面の簡単な説明】
【図１】本発明の梯子支え器具の分解図である。
【図２】本発明の第一実施例を示す、梯子支え器具の使用時の斜視図である。
【図３】本発明の第一実施例を示す、梯子支え器具の使用時の正面図である。
【図４】本発明の第一実施例を示す、梯子支え器具の使用時の全体図である。
【符号の説明】
１　口字型枠
２　口字型枠の一辺の側面に開けられた穴
３　座金
４　くさび式ボルト
５　ゴム板
６　直方体
７　直方体の側面に開けられた穴
８　座金
９　くさび式ボルト４に開けられた細長穴
１０　くさび
１１　梯子
１２　屋根
１３　雨樋
【図１】
2004011400.tif 000003
【図２】
2004011400.tif 000004
【図３】
2004011400.tif 000005
【図４】
2004011400.tif 000006
(57)【要約】【課題】鋼製のショベルやスコップの柄体や把手部表面に滑り止めの加工を施して作業性の優れたショベルやスコップを提供する。【解決手段】鋼管製の柄体２の両端にそれぞれ匙体３と把手部４を固着して鋼製のショベル１を構成する。そして、前記柄体２及び把手部４のうち、少なくとも何れか一方の表面にはローレット加工にて複数の線状の溝を刻設して滑り止め部５を形成する。この複数の線状の溝によって握り時に摩擦抵抗が増して作業中の手の滑りを極力抑えられ、作業性の優れたものとなる。【選択図】　図１
2004011365.tif 000002
【特許請求の範囲】
【請求項１】
鋼管製の柄体の両端にそれぞれ匙体と把手部を固着して成る鋼製のショベルであって、前記柄体及び把手部のうち、少なくとも何れか一方の表面には滑り止め用にローレット加工にて複数の線状の溝を刻設したことを特徴とするショベル。
【発明の詳細な説明】
【０００１】
【発明の属する技術分野】
本発明は、土木作業や園芸作業などに使用するショベルやスコップに関し、特に鋼製のショベルやスコップに関する。
【０００２】
【従来の技術】
最近では鋼製のショベルやスコップが数多く出回っているが、一般にこれらの柄体や把手部は握り具合が悪く、また滑り易い欠点があった。
【０００３】
【発明が解決しようとする課題】
本発明は上記の点に鑑み、鋼製のショベルやスコップの柄体や把手部表面に滑り止めの加工を施して作業性の優れたショベルやスコップを提供することを課題とする。
【０００４】
【課題を解決するための手段】
本発明は上記の課題を解決するために、鋼管製の柄体の両端にそれぞれ匙体と把手部を固着して成る鋼製のショベルであって、前記柄体及び把手部のうち、少なくとも何れか一方の表面には滑り止め用にローレット加工にて複数の線状の溝を刻設したことを特徴としている。
【０００５】
【発明の実施の形態】
本発明に係るショベルによれば、柄体と把手部のうち、少なくとも何れか一方の表面にはローレット加工にて複数の線状の溝を刻設して滑り止め部を形成する。こうすることにより、摩擦抵抗が増して柄体や把手部を握る作業者の手が滑りにくくなり、力を入れ易くなって非常に能率良く作業を行うことができる。
【０００６】
【実施例】
以下、本発明の実施例を図面に基づいて説明する。
【０００７】
図中の１は、本発明の鋼製のショベルであって、該ショベル１は鋼管製の柄体２と、その両端に固着した鋼製の匙体３と把手部４とから成っている。また、作業時に手で握る前記柄体２の下部表面、及び把手部４表面には、ローレット加工により、複数の線状の溝を約１ｍｍ間隔で、かつ格子状に刻設して滑り止め部５を形成しており、作業者の手との摩擦抵抗を増加させるようにして滑りにくいように図っている。
【０００８】
なお、前記滑り止め部５を形成するのに、必ずしも溝を格子状に刻設する必要はなく、例えば、柄体２の長手方向に対して直交方向にのみ平行に線状の溝を刻設しても良く、要するに十分な滑り止め効果が得られるように形成されていれば良い。
【０００９】
また、本実施例においては、滑り止め部５を柄体２と把手部４の両表面に形成するようにしたが、何らこれに限定するものではなく、少なくとも何れか一方の表面に形成するようにしておけば良い。また、柄体２の下部表面だけでなく、柄体２の全面に滑り止め部５を形成するようにしても勿論良い。
【００１０】
【発明の効果】
以上のように本発明に係るショベルによれば、鋼管製の柄体の両端にそれぞれ匙体と把手部を固着して成る鋼製のショベルであって、前記柄体及び把手部のうち、少なくとも何れか一方の表面には滑り止め用にローレット加工にて複数の線状の溝を刻設したので、作業者の手との摩擦抵抗が増して作業中の滑りを極力抑えられ、力も入れ易くて作業効率を大きく高めることができる。
【図面の簡単な説明】
【図１】本発明に係るショベルの正面図である。
【図２】図１の側面図である。
【図３】図１の拡大平面図である。
【図４】図１の柄体に形成した滑り止め部の拡大図である。
【符号の説明】
１…ショベル　　　　　　　　　　　２…柄体
３…匙体　　　　　　　　　　　　　４…把手部
５…滑り止め部
【図１】
2004011365.tif 000003
【図２】
2004011365.tif 000004
【図３】
2004011365.tif 000005
【図４】
2004011365.tif 000006
(57)【要約】【課題】振動源の静荷重の支持並びに振幅の大きい低周波数域での振動絶縁を防振ゴムで行いつつ、振幅の小さくなる高周波数域での振動伝達率を下げることができ、騒音低減効果を高め得る防振装置を提供する。【解決手段】防振ゴム２の振動源１側の端面に、該防振ゴム２よりも充分にばね定数が小さい高周波数域騒音絶縁ゴム３を挿入する形で設ける。【選択図】　　　　図１
2004011758.tif 000002
【特許請求の範囲】
【請求項１】
振動源を防振ゴムにより弾性支持する防振装置において、
振動源と防振ゴムとの間に、該防振ゴムよりも充分にばね定数が小さい高周波数域騒音絶縁ゴムを介装したことを特徴とする防振装置。
【請求項２】
高周波数域騒音絶縁ゴムをウレタン樹脂とした請求項１記載の防振装置。
【請求項３】
高周波数域騒音絶縁ゴムが気泡入り構造を有する請求項１又は２記載の防振装置。
【発明の詳細な説明】
【０００１】
【発明の属する技術分野】
本発明は、防振装置に関するものである。
【０００２】
【従来の技術】
一般に、クレーンやガスタービン等の各種構造物の振動による騒音を低減するために、図３に示される如く、振動源１からの振動を絶縁する目的で防振ゴム２による弾性支持が行われている。
【０００３】
前記弾性支持に使用される防振ゴム２は、振動源１となる機器の重量、静的・動的撓みの許容振幅、及び目標絶縁効果に基づいてばね定数を求め、これに適合するものが選定される。
【０００４】
【発明が解決しようとする課題】
前記振動源１の弾性支持の効果を良くするには、防振ゴム２のばね定数は小さい方が良く、必然的に撓みは大きくなるが、振動源１が機械等である場合、通常、撓みは小さい方が良く、こうした撓みの制限から防振ゴム２のばね定数が制限される場合が多く、弾性支持の効果が犠牲になる場合も多い。
【０００５】
一方、防振ゴム２は、ばね特性の周波数・振幅依存性が大きく、振動源１の振動の周波数が高くなればなるほど、又、振幅が小さくなればなるほど、そのばね定数は大きくなる。
【０００６】
騒音を対象とした場合、その周波数は高く、振動源１の振動振幅は非常に小さいものとなることから、防振ゴム２のばね定数は対象周波数で非常に大きくなり、従って振動絶縁効果は小さくなる。
【０００７】
この二つの理由から、騒音低減対策として従来の防振ゴム２を使った弾性支持では、図４に示される如く、高周波数域で振動伝達率を下げることができず、充分な効果が得られない場合が非常に多かった。尚、前記振動伝達率は、マスとしての振動源１に作用する荷重をＦとし、防振ゴム２を介して床面側へ伝わる荷重をＦｔとした場合に、Ｆｔ／Ｆの値の対数を取り、ｌｏｇ１０（Ｆｔ／Ｆ）としたものである。
【０００８】
本発明は、斯かる実情に鑑み、振動源の静荷重の支持並びに振幅の大きい低周波数域での振動絶縁を防振ゴムで行いつつ、振幅の小さくなる高周波数域での振動伝達率を下げることができ、騒音低減効果を高め得る防振装置を提供しようとするものである。
【０００９】
【課題を解決するための手段】
本発明は、振動源を防振ゴムにより弾性支持する防振装置において、
振動源と防振ゴムとの間に、該防振ゴムよりも充分にばね定数が小さい高周波数域騒音絶縁ゴムを介装したことを特徴とする防振装置にかかるものである。
【００１０】
上記手段によれば、以下のような作用が得られる。
【００１１】
防振ゴムよりも充分にばね定数が小さい高周波数域騒音絶縁ゴムは、振動源の静荷重によりかなりつぶれるが、厚さがゼロにはならず、薄い層となり、この状態で、防振ゴムによって振動源の静荷重の支持並びに振幅の大きい低周波数域での振動絶縁が行われると共に、振幅の小さくなる高周波数域では、前記高周波数域騒音絶縁ゴムが空気ばねのように作用することによって、振動伝達率を下げることが可能となり、騒音低減効果が高められる。
【００１２】
前記防振装置においては、高周波数域騒音絶縁ゴムをウレタン樹脂とすることができる。
【００１３】
又、高周波数域騒音絶縁ゴムは気泡入り構造を有するようにすることもできる。
【００１４】
【発明の実施の形態】
以下、本発明の実施の形態を図示例と共に説明する。
【００１５】
図１は本発明を実施する形態の一例であって、図中、図３と同一の符号を付した部分は同一物を表わしており、基本的な構成は図３に示す従来のものと同様であるが、本図示例の特徴とするところは、図１に示す如く、防振ゴム２の振動源１側の端面に、該防振ゴム２よりも充分にばね定数が小さい高周波数域騒音絶縁ゴム３を挿入する形で設けた点にある。
【００１６】
前記高周波数域騒音絶縁ゴム３としては、例えば、厚さの薄いウレタン樹脂やその他の樹脂を採用することができる。ウレタン樹脂やその他の樹脂としては気泡入り構造を有するものがより有効となる。
【００１７】
次に、上記図示例の作用を説明する。
【００１８】
防振ゴム２よりも充分にばね定数が小さいウレタン樹脂等の高周波数域騒音絶縁ゴム３は、振動源１の静荷重によりかなりつぶれるが、厚さがゼロにはならず、薄い層（気泡入り構造を有するものでは気泡を含んだ薄い層）となり、この状態で、防振ゴム２によって振動源１の静荷重の支持並びに振幅の大きい低周波数域での振動絶縁が行われると共に、振幅の小さくなる高周波数域では、前記高周波数域騒音絶縁ゴム３が空気ばねのように作用することによって、図２に示す如く、振動伝達率を下げることが可能となり、騒音低減効果が高められる。
【００１９】
こうして、振動源１の静荷重の支持並びに振幅の大きい低周波数域での振動絶縁を防振ゴム２で行いつつ、振幅の小さくなる高周波数域での振動伝達率を下げることができ、騒音低減効果を高め得る。
【００２０】
尚、本発明の防振装置は、上述の図示例にのみ限定されるものではなく、本発明の要旨を逸脱しない範囲内において種々変更を加え得ることは勿論である。
【００２１】
【発明の効果】
以上、説明したように本発明の防振装置によれば、振動源の静荷重の支持並びに振幅の大きい低周波数域での振動絶縁を防振ゴムで行いつつ、振幅の小さくなる高周波数域での振動伝達率を下げることができ、騒音低減効果を高め得るという優れた効果を奏し得る。
【図面の簡単な説明】
【図１】本発明を実施する形態の一例の概要構成図である。
【図２】本発明を実施する形態の一例における周波数と振動伝達率との関係を表わす線図である。
【図３】従来例の概要構成図である。
【図４】従来例における周波数と振動伝達率との関係を表わす線図である。
【符号の説明】
１　振動源
２　防振ゴム
３　高周波数域騒音絶縁ゴム
【図１】
2004011758.tif 000003
【図２】
2004011758.tif 000004
【図３】
2004011758.tif 000005
【図４】
2004011758.tif 000006
(57)【要約】【課題】電気扇風機による室内のハウスダストを軽減し、室内の快適性を上げ、電気扇風機自体のホコリ、ペットの毛などの汚れを防止あわせて掃除作業の軽減ができる電気扇風機の汚れ防止カバーを提供する。【解決手段】円筒状からなる不織布のカバー部（１）の前方（２）と後方（３）に糸通し部（４ａ）（４ｂ）を設け糸通し部（４ａ）（４ｂ）に伸縮性のある糸（５）を通したことを特徴とする。【選択図】　図４
2004011630.tif 000002
【特許請求の範囲】
【請求項１】
円筒状からなる不織布のカバー部（１）の前方（２）と後方（３）に糸通し部（４ａ）（４ｂ）を設け、糸通し部（４ａ）（４ｂ）に伸縮性のある糸（５）を通した電気扇風機の汚れ防止カバー。
【発明の詳細な説明】
【０００１】
【発明の属する技術分野】
この発明は電気扇風機による室内のハウスダストを軽減し、扇風機自体のホコリ、ペットの毛などの汚れを防止あわせて掃除作業軽減に関するものである。
【０００２】
【従来の技術】
従来、電気扇風機を使用するとき、電気扇風機の回転羽根の後ガード方面より風を吸い込み、前ガード方面へ風を送り出していた。
【０００３】
【発明が解決しようとする課題】
これは、次のような欠点があった。
イ、　電気扇風機を使用した時、風を回転羽根の後ガード方面から吸い込み前ガード方面へ送り出すので、ハウスダストを吸い込み再び吹き散らす事になり、ハウスダストを室内全体に拡散させ、ホコリ汚れを一層ひどくしていた。
ロ、　回転羽根に吸い込まれたハウスダストの一部は電気扇風機のガードや羽根部分に付着し見苦しい汚れとなっていた。
ハ、　電気扇風機の回転羽根本体や前後の網目状のガードを被せるなど複雑な構造のゆえ、汚れを取る掃除が大変だった。
本発明は、以上の欠点を解決する為になされたものである。
【０００４】
【課題を解決するための手段】
使い捨ての不織布からなる円筒状のカバー部（１）の前方（２）と後方（３）に糸通し部（４ａ）（４ｂ）を設け、糸通し部（４ａ）（４ｂ）に伸縮性のある糸（５）を通す。
本発明は、以上の構成よりなる電気扇風機の汚れ防止カバーである。
【０００５】
【発明の実施の形態】
以下、本発明の形態を説明する。
イ、　目の細かい使い捨ての不織布からなる円筒状のカバー部（１）の前方（２）と後方（３）の縁に糸通し部（４ａ）（４ｂ）を設ける。
ロ、　糸通し部（４ａ）（４ｂ）にゴム糸などの伸縮性の高い伸縮性のある糸（５）を通す。
ハ、　カバー部（１）はフィルターとして使えるものなら材質は問わない。
本発明は、以上の構成からなっている。
本発明を使用するときは、電気扇風機の前ガード（６）方面から、後ガード（７）に本発明を被せるだけで、次のようにハウスダストの軽減、掃除の労力軽減ができる。
電気扇風機は後ガード（７）方面から風を吸い込み前ガード（６）方面へ風を送り出している。
したがって、図４が示すように後ガード（７）に本発明を取り付けることにより、風を吸い込む力で室内のホコリ、ペットの毛などのハウスダストをカバー部（１）に付着させる。この結果、室内のハウスダストを軽減させ電気扇風機自体にホコリ汚れがつくこともない。
【０００６】
【発明の効果】
本発明を使用することにより、室内のハウスダストを軽減させる事ができ、従来の電気扇風機の用途を広げ、住宅事情の悪い閉め切りの室内での快適性を上げる事ができる。
また、電気扇風機の掃除作業の苦痛も軽減できる。
【図面の簡単な説明】
【図１】本発明の斜視図
【図２】本発明の使用状態を示す側面図
【図３】本発明の使用状態を示す分解側面図
【図４】本発明の使用状態を示す側面図
【図５】本発明の使用状態を示す分解側面図
【符号の説明】
１　　カバー部
２　　前方
３　　後方
４ａ　糸通し部
４ｂ　糸通し部
５　　伸縮性のある糸
６　　前ガード
７　　後ガード
【図１】
2004011630.tif 000003
【図２】
2004011630.tif 000004
【図３】
2004011630.tif 000005
【図４】
2004011630.tif 000006
【図５】
2004011630.tif 000007
(57)【要約】【目的】風力発電機の電力で電車を走らせその時自然に発生する風で風車（タービン）を回転させ、発電する、自然エネルギーのため燃料費のいらない電力が得られるので原子力核のいらない安全な電力を、供給できる【構成】円周の地下鉄に風力発電機を設置した電車を走らせ電力を得るたとえば電車を時速１２０ｋｍで動かせば風速３０ｍ程の風力となり発電機には十分の原動力となる、トンネル内は電車が動いている限り空気の抜け道が無いため空気は絶えず流れていますのでトンネル内は風力発電機を無限に設置することができ無限に電力が供給できる【特許請求の範囲】
【請求項１】
地下鉄に電車を走らせそれによって発生する風力によって風車（タービン）を回転させ発電し電力を得る風力発電車（地上でも発電するが地下の方が効力が高い）
【発明の詳細な説明】
本発明は円周の地下鉄トンネル内の壁図１（Ｄ）天井図１（Ｅ）及び電車図１（Ｃ）に図１（Ａ）（Ｂ）の風力発電機を設置し電車を走らせることにより空気の抜け道のないトンネル内は電車が動いている限り電車の風圧により絶えず風が発生しているので風力発電機には、十分の原動力となりますのでトンネル内には無限の発電機が設置でき無限の電力を安全に得ることができる又安い料金の電力が供給できる
【図面の簡単な説明】
【図１】トンネル内の断面図
【図２】風車（タービン）の立体図
【符号の説明】
Ａ．風車．　　Ｂ．発電機．
Ｃ．電車．　　Ｄ．Ｅ．トンネル壁．
【図１】
2004011636.tif 000002
【図２】
2004011636.tif 000003
(57)【要約】　　　（修正有）【課題】ガソリン、軽油、灯油、重油等の燃料に混合でき、直接燃料にその溶液を添加しシリンダーや釜の内部に付着固定させて貴金属微粒子の酸化触媒能により完全燃焼に導き燃費の向上や防臭に役立つ貴金属コロイドを含む燃料用触媒溶液の製造方法を提供する。【解決手段】貴金属コロイドを車両等のガソリン又は軽油にサイズ２ナノメートルから３ナノメートルの超微粒子状態で混入する。【選択図】図１
2004011632.tif 000002
【特許請求の範囲】
【請求項１】
車両等のガソリン又は軽油にサイズ２ナノメートルから３ナノメートルの超微粒子状態で混入することにより、燃焼時にシリンダー内部にガス化することなく付着し、その後は酸化触媒能により燃料を完全燃焼させ、燃費の向上を計ることを特徴とする貴金属コロイドを含む燃料用触媒溶液の製造方法。
【請求項２】
石油ストーブ等の灯油を燃料として使用する燃料に混入することによる、請求項１の貴金属コロイドを含む燃料用触媒溶液の製造方法。
【請求項３】
ボイラー等の重油を燃料として使用する燃料に混入することによる、請求項１の貴金属コロイドを含む燃料用触媒溶液の製造方法。
【発明の詳細な説明】
【０００１】
【産業上の利用分野】
本発明は、車両の燃費向上やボイラーの燃費向上又は石油ストーブの不完全燃焼による悪臭の減少に役に立つ、添加貴金属コロイドを含む燃料用触媒溶液の製造方法に関するものである。
【０００２】
【従来の技術】
従来の貴金属触媒は、ガス化した不完全燃焼ガス（一酸化炭素）を触媒の間を通して酸化させ二酸化炭素にして空気中に戻すものであり、気相を酸化させる為に排気部分に設置されている。
【０００３】
その為、シリンダーや釜の内部での酸化作用に全く関与していない。また酵素を利用して燃焼室内のカーボンやスラッジを剥ぎ取る働きをするものもあったが、剥ぎ取られたカスが燃料フィルターや行程中のハニカム状の触媒装置の中に残留し、目詰まり等の問題が発生していた。
従ってシリンダーや釜の内部に貴金属触媒を固定させることが必要であった。
【０００４】
【課題を解決する為の手段】
本発明の貴金属コロイドを含む燃料用触媒溶液は、２ナノメートルから３ナノメートルの超微粒子のコロイド溶液をメタノールやエタノールのアルコールに混入させ、それを燃料タンク内の燃料に直接混入することにより、シリンダー内部や釜の内部に燃料の燃焼時に付着固定し、貴金属微粒子の酸化触媒能により完全燃焼させようとするものである。
【０００５】
また貴金属コロイドは、イオン化傾向が低くコロイド溶液中でもアルコール液中でも石油類燃料中でも、溶けることはなく超微粒子状態で沈殿もせずブラウン運動により浮遊している物質であり燃焼によっても気化（ガス化）することがないため、シリンダー内部や釜の内部に付着固定することが可能となる。
【０００６】
貴金属コロイドの粒子の大きさは、２ナノメートルから３ナノメートルが最も触媒能が大きく、１０ナノメートル以上になると触媒能の保証はほとんどない。
【０００７】
貴金属コロイドの貴金属とは、白金（Ｐｔ）及びルテニウム（Ｒｕ）、ロジウム（Ｒｈ）、パラジウム（Ｐｄ），オスミウム（Ｏｓ）、イリジウム（Ｉｒ）等の白金属と呼ばれるものが挙げられる。
【０００８】
また金（Ａｕ）のコロイドも酸化作用があるが、熱に弱いため燃焼時の使用には不向きである。
それは２ナノメートルから３ナノメートルの粒子が熱により溶融して大きな粒子になるため、触媒能が劣化するためである。
【０００９】
貴金属コロイド溶液には保護樹脂を使用しており、その樹脂がシリンダー内部や釜の内部に付着固定する硬化を与えている。
【００１０】
貴金属微粒子をメタノールやエタノールのアルコールで混合する理由は、燃料であるガソリン、灯油、軽油、重油等の炭素（Ｃ）と水素（Ｈ）で構成されているものに直接混合できないことにある。
【００１１】
貴金属コロイドはＯＨ基をもつ成分であり、ＯＨ基を持たない各燃料とは混合できない為である。
その為ＯＨ基と炭素（Ｃ）と水素（Ｈ）で構成されるアルコールに混合して溶液を作成することにより、各燃料に混合できる貴金属コロイド溶液となるものである。
【００１２】
この様にして製造された貴金属コロイドを含む燃料用触媒溶液を各燃料中に直接添加して各々の燃焼媒体の従来の燃焼方法で燃焼するだけでシリンダー内部や釜の内部が酸化触媒能を持つことになり燃費向上等の効果がでるものである。
【００１３】
また直接的にシリンダー内部や釜の内部に貴金属コロイドを含む燃料用触媒溶液を塗布又はコーティングが可能であれば、同等以上の効果を上げることができる。
【００１４】
【実施例】
満タンで６０リッター入る車両に貴金属コロイドを含む燃料用触媒溶液１５ｃｃを添加した、１５ｃｃ溶液中に貴金属コロイド微粒子が０．１グラム含まれている状態で実施した。
従来１リッター当り８．２５キロメートルの走行であったものが、前半の３０リッターについては１リッター当り７．１４キロメートルと以前より不調であったが、後半の３０リッターについては１リッター当り１１．２キロメートルと改善をみせた。
その後、複数回の給油と添加を繰り返したが、１０から１１キロメートルと順調に改善していることが判った。
【００１５】
これはシリンダー内部に貴金属微粒子が触媒能をもつまでに付着固定するまでは、アルコール等の影響で燃焼効率が落ちる為であると推測する。
【図面の簡単な説明】
【図１】シリンダー内に付着固定した貴金属微粒子の概念断面図である。
【図２】石油ストーブでの付着固定した貴金属微粒子の概念断面図である。
【図３】ボイラーでの付着固定した貴金属微粒子の概念断面図である。
【符号の説明】
１　貴金属微粒子
２　シリンダー
３　ピストン
４　石油ストーブのボックス
５　石油ストーブの芯
６　石油ストーブのトップ
７　ボイラーの釜
【図１】
2004011632.tif 000003
【図２】
2004011632.tif 000004
【図３】
2004011632.tif 000005
(57)【要約】【課題】通常の使用は無論のこと、発汗時や湯上り等における足袋の装着性を良好にするばかりでなく、自力で足袋を履くことのできない者等へ対して他者が装着することも容易に行うことができる足袋を提供する。【解決手段】足袋の立体長袋状形を２つの部分に分割する。足首から土踏まずまでを包囲する足首包帯部１は、左右への展開可能な帯状に形成し、両側に設けられた面ファスナー８，９で止着させ、土踏まずから足先までを覆う足先包袋部２は、先端部を閉じ、後端部が開口する袋状に形成する。これは前述した足首から土踏まずまでを包囲する部分に連結されている。【選択図】　　図１
2004011028.tif 000002
【特許請求の範囲】
【請求項１】
足先側を収容する足先包袋部と、該足先包袋部に連続して設けられると共に、足首部の包囲及び左右への展開が可能にされた足首包帯部とからなることを特徴とする足袋。
【発明の詳細な説明】
【０００１】
【産業上の利用分野】
本発明は、足袋に関し、特に容易に着用することのできる足袋に関するものである。
【０００２】
【従来の技術】
従来、足袋は防寒・礼装などのため、主として和装の際に用いられる。足袋は歩行性を良好にするための足の引締め機能や、足袋を装着した足元のすっきりとした美観を得るために、使用者の足の形に合わせて足先から足首部分までを一体的に収容する長袋状に作られる。すなわち、従来の足袋は、縫製した際に足巾や足厚よりもやや小さめになるように裁断された布を使用し、布の持つわずかな伸縮性でもって足に密着させ、踵から足首の裏側に設けた切り込みから足全体を挿入した後、この切り込み部分を鞐という金具で止着して装着するようにされている。
【０００３】
【発明が解決しようとする課題】
このように、そもそも足袋は履き難い構造をしているが、例えば、発汗時や湯上り時に足が湿っているような場合等は、足袋が足の表面に貼り付いてしまい一層履き難くなる。また、身体に障害があるため自力で足袋を履くことが不可能な者などに対して、他者が装着させることは極めて困難であった。
本発明は、上記のような従来技術の問題点に鑑み、通常の使用は無論のこと、発汗時や湯上り等における足袋の装着性を良好にし、自力で足袋を履くことのできない者等に対して他者が装着することも容易に行うことができる足袋を提供する。
【０００４】
【課題を解決するための手段】
この目的を達成するために本発明は、足先側を収容する足先包袋部と、該足先包袋部に連続して設けられると共に、足首部の包囲及び左右への展開が可能にされた足首包帯部とからなることを特徴とする。
【０００５】
【発明の実施の形態】
本発明の実施形態を図面に示す実施例に基づいて説明する。図１は本発明の一実施例に係る足袋の展開図、図２は本発明の一実施例に係る足袋の着用方法を示す斜視図、図３は本発明の一実施例に係る足袋の着用状態を示す正面図、図４は本発明の他の実施例に係る足袋を示す斜視図である。
【０００６】
【実施例】
図１は本発明の一実施例に係る足袋の展開図である。本発明に係る足袋は、足首から足の土踏まず辺りまでを巻回して包囲する足首包帯部１と、足先を入れる足先包袋部２との２つの部分から形成されている。足首包帯部１には足首から土踏まず辺りまでを巻き、その端部同士を重ね合わせ、止着するための面ファスナー８，９が左右両端側に設けられており、左右への展開が可能にされている。この足首包帯部１の構成は、まず歩行程度の動きに耐えられる縦方向の伸縮に富む踵支持部５と、それに隣接する横方向の伸縮性を持つ足首側面支持部６がある。これら２つの部分は伸縮方向が異なるが、一体として足首に密着するように設けられている。そして被甲部７は足の甲を覆う。この足首包帯部１の重合部上側の被甲部７には商標や絵柄を表示する為の装飾部１１が設けられている。
また、足先を入れる短袋形の部分である足先包袋部２は、閉ざされた先端部に、足の親指と人差し指の間で仕切られた指収納部１０を有し、その後端部にある開口端４は、足裏の補強のために設けられている足底部３の土踏まずの中心より後方にその一端が連接されており、足先から土踏まずまでを被覆することができるようになっている。
【０００７】
図２は本発明の一実施例に係る足袋の着用方法を示す斜視図である。まず、足先を入れる足先包袋部２を履かせる。次に着用者の足首から土踏まずまでを足首包帯部１で包囲し、面ファスナー８，９で止着する。包む順番は、足の内側から巻く方が上側に被さるようになっている。面ファスナー８，９は被甲部７に設けられており、この被甲部７を軽く引きながら止着する。そして、図３に示すように、足首包帯部１の下端部１ａを足先包袋部２の中に挿入する。この足先包袋部２の開口端４は、ゴム等の伸縮性のある素材で形成されているため、その伸縮性で以って、足首包帯部１の下端部１ａが押さえ止めされている。尚、足袋の着用方法は、先に足首包帯部１で包囲し、その後に足先包袋部２を履くようにしてもよい。
【０００８】
このように、本発明に係る足袋は足首包帯部１を展開可能に設けたので、特に足が湿り気を帯びている場合の着用に適している。例えば、温泉郷での湯巡り時、入湯時に使用する場合に保温効果があり、また下駄履時の足の裏を清潔に保つことや怪我防止に有用である。また他者への装着が容易であるため、介護用や仏事用としても利用できる。仏事等に使用される際は、面ファスナーに代えて、両面粘着テープを使用することもできる。
【０００９】
上記の実施例で挙げられた指収納部１０と、足底部３は、必ずしもこれらを設ける必要はなく、用途に合わせて自由にその形状を変えることができる。
【００１０】
本発明に係る足袋の装飾部１１には、仏事で使用される場合は、例えば蓮の花の絵柄等や、温泉郷で使用される際には温泉宿の商標や絵柄等が表示される。また、装飾部１１には商標や絵柄だけでなく、その他の装飾を施すことができる。例えば図４に示すように、短袋形の足先包部２の開口端４に、花を模したレース等の装飾帯１２が設けられると、その装飾帯１２が靴の履き口から露呈し、高い装飾効果が得られる。また、本足袋は装着が簡便なため、子供の晴れ着にも使用できる。
【００１１】
【発明の効果】
本発明は以上の様に構成したので、以下のような優れた効果がある。通常の使用は無論のこと、発汗時や湯上り等における足袋の装着性を良好にするばかりでなく、自力で足袋を履くことのできない者等へ対して他者が装着することも容易に行うことができるという優れた効果がある。
【図面の簡単な説明】
【図１】本発明の一実施例に係る足袋の展開図である。
【図２】本発明の一実施例に係る足袋の着用方法を示す斜視図である。
【図３】本発明の一実施例に係る足袋の着用時の状態を示す正面図である。
【図４】本発明の他の実施例に係る足袋を示す斜視図である。
【符号の説明】
１　　足首包帯部
１ａ　下端部
２　　足先包袋部
３　　足底部
４　　開口端
５　　踵支持部
６　　足首側面支持部
７　　被甲部
８　　面ファスナー
９　　面ファスナー
１０　指収納部
１１　装飾部
１２　装飾帯
【図１】
2004011028.tif 000003
【図２】
2004011028.tif 000004
【図３】
2004011028.tif 000005
【図４】
2004011028.tif 000006
(57)【要約】【課題】高齢社会を向かえる我が国において、屋内における転倒事故および溺死は、高齢者が８３％を占め、深刻な問題となっている。またその多くが洗剤と水を多用し、無防備な裸でいる浴室に集中していた。【解決手段】網状の生地にゴムとボンドのいずれか一つ以上を塗布し、靴とパンツに加工することで装着しやすく、動きやすく、着衣の上からでも身体を洗うことの出来る滑り止め具を提供する。【選択図】　図２
2004011087.tif 000002
【特許請求の範囲】
【請求項１】
浴室での歩行時および浴そう内での滑りを防止するためにからだに装着して使用する滑り止め具であり、ゴムとボンドのいずれか一つ以上を塗布した網状の生地による浴室用靴とパンツ
【請求項２】
請求項１に紐とマジックテープとチャックとゴムバンドのいずれか一つ以上をつけ、足および腰部と臀部に固定しやすくしたもの
【発明の詳細な説明】
【０００１】本発明は、網状の布にゴムまたはボンドを塗布し、滑り止め効果を発揮したものによる浴室用靴とパンツである
【０００２】靴およびパンツを網状にすることで着衣した上からでも足と腰と臀部を洗うことを容易にしたものである。
【０００３】靴およびパンツを網状にすることで水中での抵抗力を軽減し、歩行および動きやすくしたものである。
【発明の属する技術分野】
【０００４】本発明は、浴室における滑り止めを目的としたものである。
【従来の技術】
【０００５】浴室での滑り止め防止および転倒防止するものには、シート状のものやテープ状のものや靴があった。
【発明が解決しようとする課題】
【０００６】高齢者による屋内での転倒および溺死事故は、８３％におよび深刻な問題となっている。本発明は、筋力の衰えた高齢者が装着することにより、浴室内および浴そう内での滑りによる転倒と溺死を予防するものである。また靴タイプのものは、プールにて使用することでリハビリテーションにも利用できるものである。
【課題を解決するための手段】
【０００７】網状の生地にゴムまたはボンドを塗布したものを靴状およびパンツ状に加工した。
【発明の実施の形態】
【０００８】網状の生地にゴムまたはボンドを塗布したものを靴状およびパンツ状に加工したものを装着して、浴室にはいる。
【実施例】
【０００９】第１図は、網状に組んだ糸もしくは繊維にゴムとボンドいずれか一つ以上を塗布した概念図
【００１０】第２図は、第１図による生地を利用して靴状にした図
【００１１】第３図は、第１図による生地を利用してパンツ状にした図
【発明の効果】
【００１２】本発明によって浴室および浴そう内にて滑りを防止し、転倒事故および溺死を防ぐ。
【図面の簡単な説明】
【第１図】本発明の生地の構造概念図
【第２図】第１図の生地を利用して靴状に加工した図
【第３図】第１図の生地を利用してパンツ状に加工した図
【符号の説明】
１：ゴムとボンドいずれか一つ以上
２：糸もしくは繊維
３：第１図による生地
【図１】
2004011087.tif 000003
【図２】
2004011087.tif 000004
【図３】
2004011087.tif 000005
(57)【要約】【課題】本発明は、上着のシルエット（型）崩れを防止する為のベストを提供するものである。【解決手段】ベスト本体１と収納部（ポケット）２を備えている。【選択図】図１
2004011088.tif 000002
【特許請求の範囲】
【請求項１】
可撓性網生地や薄生地によって構成したベストで該ベストの網生地もしくは薄生地による収納部を設ける事を特徴とするベスト。
【発明の詳細な説明】
【０００１】
【発明の属する技術分野】
本発明は、手帳・札入れ・名刺入れ・電話などの携帯に便利で、かつ併用する上着のシルエット（型）崩れを防止するベストに関する。
【０００２】
【従来の技術】
従来のベストは、装飾性、保温性、収納性、防護性などベスト自体の機能を向上させる事が一般的であり、併用する上着との機能的、合理的な組合せを考えたベストは求められながら実現しなかった。
【０００３】
【発明が解決しようとする課題】
本発明は、可撓性網生地製ベストや薄生地製ベストに収納部（ポケット）を設ける事により、併用する上着裏側の収納部（ポケット）を除却し、上着のシルエット（型）崩れを防止する事ができるベストを提供する事を課題とする。
【０００４】
【課題を達成するための手段】
本発明のベストは可撓性網生地や薄生地によって構成されるベスト本体に網生地又は薄生地による収納部（ポケット）を設ける事によって上記課題を達成する。
【０００５】
【作用】
本発明は、以上の様な構造であるから軽量にして通気性も高く装着感が少なく、該ベスト本体に収納部（ポケット）を設けているので、併用する上着裏側に設ける必要があった収納部（ポケット）は不要になる。
【０００６】
これは上着の製造コストを下げると同時に上着の裏生地を一枚仕立てにする事が可能となる為、上着のシルエット（型）を美しく仕上げる事ができる。
【０００７】
又、本発明のベストの収納部（ポケット）に手帳、札入れ、名刺入れ、電話などの携帯品を収納した場合、収納した重量はベスト自体に加わり、併用する上着には全く加わらない為、上着のシルエット（型）は従来より長く美しく保持できるので型崩れは起こさない事になる。
【０００８】
【発明の実施の形態】
以下、本発明の実施例を図面を参照しながら説明する。
【０００９】
図１は本発明のベストの斜視図である。図２は本発明の他の実施例のベストの斜視図である。図３は併用する上着との組合せを示す斜視図である。
【００１０】
図１に示す本発明のベストは可撓性網生地や薄生地によって構成されるベスト本体１に可撓性網生地や薄生地によって作られる収納部２を設けることによる構成である。
【００１１】
【発明の効果】
本発明のベストは、従来上着裏側の収納部（ポケット）に納められていた携帯品を収納する為のベストであり、併用する上着のシルエット（型）崩れを防止する。
【００１２】
又、本ベストは構造的に簡単である為、安価に提供できると同時に、本発明ベストを着用する事により、上着裏側の収納部（ポケット）は不要となる為、上着も安価に製造する事ができる。
【図面の簡単な説明】
【図１】本発明の斜視図
【図２】本発明の他の実施例の斜視図
【図３】本発明のベストと上着の組合せを示す斜視図
【符号の説明】
１は、ベスト本体
２は、収納部（ポケット）
【図１】
2004011088.tif 000003
【図２】
2004011088.tif 000004
【図３】
2004011088.tif 000005
(57)【要約】【目的】シャツや上着のポケットに入れた物が脱落しない機構ゐ備えたシート状のホルダーであり、更に他のシャツのポケットにも差し替える事が出来る汎用性あるポケットホルダーを提供する。【構成】シャツや上着等のポケットに入る程度の大きさであって、円柱状の筒を平たく偏平にした紙又はエンビ、Ｐ．Ｐ等の樹脂シートカバーに、バネとなるピアノ線を内に挟み保持した差手がサイドより差し込まる。　この差手は上下部分にスライド溝が施されカバー内側で左右にスライド出来る程度の緩みをもってカバーにカシメ止めされている。一方、カバーの裏面には滑り止めシートが貼合されている。　以上を特徴とする。【選択図】　図３
2004011085.tif 000002
【特許請求の範囲】
【請求項１】
シャツや上着等のポケットに入る程度の大きさであって、円柱状の筒を平たく偏平にした紙又はエンビ、Ｐ．Ｐ等の樹脂シートカバー（以下カバーと言う）に、バネとなるピアノ線を内に挟み保持した差手がサイドより差し込まる。　この差手は上下部分にスライド溝が施されカバー内側で左右にスライド出来る程度の緩みをもってカバーにカシメ止めされている。一方、カバーの裏面には滑り止めシートが貼合されている。以上の構造からなるシャツや上着のポケットから収納物の脱落を防止するポケットホルダー。（以下ホルダーと言う）
【発明の詳細な説明】
【０００１】
【産業上の利用分野】
服装小物や文具用品等の生活雑貨又はプレミアムギフト用品等に関する産業分野での利用が期待される。
【０００２】
【従来の技術】
ポケットの中にゴムを縫い付け収容物を保持するものは見られるようであるが、これを取外し他のポケットにも応用出来るものではなく、汎用性に欠ける。
【０００３】
【発明が解決しょうとする課題】
本案は、シャツや上着のポケットは場合により入れた収容物が滑り落ち又は飛び出す難点を持っている課題に着目しこれを解決するものである。
すなわち、本案のホルダーをシャツや上着等のポケットに入れておくことによって、落ちる可能性のある物、例えばタバコやメガネ又は携帯電話等の収納物をポケット中に挟み留めることによって滑りを止め脱落を防止することが出来る。
このホルダーの差手はピアノ線のバネ効果でポッケット内で左右に突っ張り、これがポケット内でのホルダーのストッパーとなってホルダー自体もポケットより脱落しない事となる。更にこれをポケットより取り出し、他のポケットにも入れることができるので従来の物になく汎用性が高い、以上により課題を解決する。
【０００４】
【課題を解決するための手段】
いまこれを、図面について説明すれば、
（イ）【図　１】のように上下にスライド溝（ｃ）を設けた左右の差手（ａ）にバネとなるピアノ線（ｂ）を挟み込む。
（ロ）【図　２】のようにカバー（ｄ）の左右は差手の差入口となりカバー表面には裏面に通じるカシメ穴（ｅ）が４ケ所施されている。
（ハ）【図　３】のようにカバー（ｄ）の裏面には滑り止めシート（ｇ）が貼合わせてある。
（ニ）【図　４】のようにカバー（ｄ）にピアノ線（ｂ）を保持した差手（ａ）を差し込み、カバーと取手をスライド可能程度にカシメ止（ｆ）める。ホルダーの放置時はこの状況の仕様となる。
（ホ）【図　５】は差手の左右をセンター方向に向け圧縮したところであり、ホルダーのポケット出し入れ時にこの仕様となる。
（ヘ）【図　６】はホルダーをポケットに入れる状況の図面である。
【０００５】
【作　　用】
シャツや上着等のポケットにこのホルダーを入れるとピアノ線のバネの張力により取手は外側に撥出でポケットの中にホルダーを固定し得る。
そうした後、例えばタバコやメガネ又は携帯電話等の収納物をホルダーの裏面に挟み込み装着する。
そうすればポケットに入れた収納物は裏面の滑り止めシート効果と相俟ってポケットから脱落しない。
【０００６】
【実施例】
以下、本案の実施例について説明する。
（イ）取手を左右より指圧し圧縮した後、シャツや上着等のポケットにこのホルダーを入れ、シャツの中にこれを固定する。
（ロ）そうした後、例えばメガネ又は携帯電話をホルダーのシート裏面とポケットの間に挟み込み装着する。
こうしてポケットに入れたメガネや携帯電話はポケットから脱落しない。
（ハ）他のシャツに使いたい場合は、このホルダーをポケットの外から取手を再び圧縮し取り出し、新たに使いたいポケットに差し替えれば同様に活用することが出来る。
【０００７】
【発明の効果】
このホルダーを用いる事によって、ポケット中に入れた物の脱落を防止する効果がある。
また様々なシャツのポケットにも対応出来る汎用性を備えているので便利である。
【図面の簡単な説明】
【図　１】本考案の差手正面斜視図
【図　２】カバー正面斜視図
【図　３】カバー裏面斜視図
【図　４】本考案の組合わせ正面透視図
【図　５】差手を圧縮した正面透視図
【図　６】ポケットに装着する図
【符号の説明】ａ．差手
ｂ．ピアノ線
ｃ．スライド溝
ｄ．カバー
ｅ．カシメ穴
ｆ．カシメ止め
ｇ．滑り止シート
ｈ．ポケット
【図１】
2004011085.tif 000003
【図２】
2004011085.tif 000004
【図３】
2004011085.tif 000005
【図４】
2004011085.tif 000006
【図５】
2004011085.tif 000007
【図６】
2004011085.tif 000008
(57)【要約】【課題】たすきがけの効果を得られるように、たすきがけの機能を発揮するのに適した紐を使用するなどして、たすきがけが出来るように紐を設けたことを特徴とする、たすきがけが出来る構造の、身につけた時たすきがけの機能を発揮し目的を果たす紐を設けた衣料用品、また身につける装着品を提供する。【解決手段】エプロン（２）やブラジャー（３）、よだれかけ（５）などの所望の衣料用品又は装着品に、たすきがけの機能を発揮し目的を果たす構造にして、たすきがけに適当な紐（１）を設けることを特徴とする。【選択図】　　図１
2004011084.tif 000002
【特許請求の範囲】
【請求項１】
たすきがけの効果を得られるように、たすきがけの機能を発揮するのに適した紐（１）を使用するなどして、たすきがけが出来るように紐（１）を設けたことを特徴とする、たすきがけが出来る構造の、身につけた時たすきがけの機能を発揮し目的を果たす紐（１）を設けた、エプロン（２）やブラジャー（３）、よだれかけ（５）などの衣料用品、また身につける装着品。
【発明の詳細な説明】
【０００１】
【発明の属する技術分野】
この発明は、衣料用品、また身につける装着品に、身につけた時身体の運動を補助する、たすきがけの効果を得られるように、たすきがけが出来るように紐を設けた、たすきがけが出来る構造の、たすきがけの機能を発揮し目的を果たす紐を設けることに関するものである。
【０００２】
【従来の技術】
従来より、たすきがけが労働時に身体の動きを補助するのに非常に有効な補助具であるという認識はなかったため、着物のたもとをたくし上げるだけのものという先入観により、日本の伝統的な知恵であるたすきがけをして家事に従事するものは皆無となり体の一部を集中的に使う労働により肩こりや首周辺の疲れが慢性化していた。また、たすきがけをするのに丁度良い帯状の紐そのものの商品やたすきがけ用の紐を設けたたすきがけのできる衣類は今までになかったため、たすきがけの習慣はほとんど途絶えた今では、一般的にはたすきがけが非常に身体に良いものであるという認識や情報がなく、たすきがけをする機会も目にする機械も得られず、仕事や家事などに従事する時のたすきがけをすることによる有効な身体補助機能を活用できないでいた。
【０００３】
【発明が解決しようとする課題】
これは次のような欠点があった。
イ．　たすきがけには正し姿勢で作業を行えるように矯正し、身体の運動を助け肩こりなどを予防する機能があるが、今ではたすきがけをする習慣はなくなり、労働などで身体へ負担をかけこりを引き起こし、回復が遅いことが多かった。
ロ．　たすきがけの習慣が無くなってしまい、一般的には着用する機会も目にする機会も無くなり知識が浸透してないため、たすきがけの普及が進まないということがあった。
ハ．　今までたすきがけが出来る紐を設けた衣料用品は無く、生活に取り入れる機会が無きに等しく日常に根付くことが無かった。
本発明は以上の欠点を解決し、たすきがけを幅広く衣料用品また、装着品に利用するものである。
【０００４】
【課題を解決するための手段】
衣類の上から身につけるエプロン（２）やよだれかけ（５）などの装着品、またブラジャー（３）や上着などの衣料用品などに、身体に身につけることによって、たすきがけの効果を得られるように、たすきがけの目的を果たす構造にして、たすきがけの機能を発揮するのに適した紐（１）を設ける。
本発明は以上の構成よりなるたすきがけのできる構造の、身に付けた時たすきがけの機能を発揮し目的を果たす紐を設けた衣料用品または装着品ある。
【０００５】
【発明の実施の形態】
以下、本発明の実施の形態を説明する。
（イ）エプロン（２）に両側または片側で長さの調節が出来るように、たすきがけの出来る構造に紐（１）を設ける。
（ロ）ブラジャー（３）の機能にたすきがけの効果が得られるよう背中で交差させて、たすきがけに適した紐（１）を設け、長さの調節部品（４）を設けるなどして、たすきがけの目的を果たす構造にする。
（ハ）男性用または、女性用下着に紐（１）の長さの調節用具を設けるなどし　　　　などして、たすきがけの目的を果たす構造にし、たすきがけのできる紐（１）を設ける。
（ニ）上着に両側または片側で結わくことで、または紐（１）の長さの調節用具を設けるなどして、たすきがけの目的を果たす構造にし、たすきがけのできる紐（１）を設ける。
（ホ）胸当てのあるスカートやズボンに両側または片側で結わくことで、または紐（１）の長さの調節用具を設けるなどして、たすきがけの目的を果たす構造にし、たすきがけのできる紐（１）を設ける。
（ヘ）乳幼児用のよだれかけ（５）、またはそれに順ずる形態などに両側または片側で結わくことで、または紐の長さの調節用具を設けるなどして、たすきがけの目的を果たす構造にし、たすきがけのできる紐（１）を設ける。
（ト）衣服や身体を保護する割烹着や前掛けなどの作業着に、両側または片側で結わくことで、または紐の長さの調節用具を設けるなどして、たすきがけの目的を果たす構造にし、たすきがけのできる紐（１）を設ける。
本発明は、以上の構成よりなっている。
本発明を使用する時は、各々の体型に合わせ、長さの調節を行って装着する。
【０００６】
【発明の効果】
本発明によって、子供から働く人々そしてお年寄りまで、作業着や上着などさまざまな衣料用品や装着品にたすきがけの出来る構造に紐を設けることで、たすきがけを知らない人や習慣となっていない人でも、手軽にたすきがけができて、たすきがを知らない人に機会を提供し日常の習慣に取り入れられて、たすきがけをすることによる恩恵が受けられる。たすきがけをして家事や仕事などの労働をすることが出来て、たすきがけをすることで首周りや肩甲骨周辺の運動を補助し、身体の特定の部分だけを動かすことを制限するため、身体全体で動くことになり、運動が分散し労働による首の疲れや肩こりなどを予防し軽減する効果が得られる。背中がまっすぐ伸びて正しい姿勢をとれるように身体を立て直す効果があるため、姿勢の矯正用品となり正しい姿勢で作業に挑む習慣がつく。無理な姿勢で作業をすることに制限をかけるため、正しい姿勢で作業が出来、身体に無理がかからないように身体を維持する。身体が楽になるため作業がはかどり疲れにくい。特にブラジャーなどの下着の場合、既に身体の基礎部分からたすきがけを行えるのでたすきがけを改めてする必要がなくなり上着にお気に入りの衣類を着たいときなどファッションにひびかず、たすきがけを衣類の上に出したくないときなどに良く、より身体にぴったり装着できるため、たすきがけの機能がさらに発揮される。またブラジャーの場合、紐を出してきてもただの紐という感覚がなく、襟ぐりが広く開いたデザインの上着を着て、紐が見えるように肩を出していてもファッション感覚で見せることが出来て、様々な色やデザインを施すなどすれば上着に合うものとなる。紐そのものが衣類と一体となっていると、紐一本である場合よりも紛失しにくい。エプロンの場合家事労働などのための身支度がいっぺんに済んで手間を省く。
【図面の簡単な説明】
【図１】本発明の正面図
【図２】本発明の斜視図
【図３】本発明の斜視図
【符号の説明】
１　紐
２　エプロン
３　ブラジャー
４　長さ調節部品
５　よだれかけ
【図１】
2004011084.tif 000003
【図２】
2004011084.tif 000004
【図３】
2004011084.tif 000005